(57)【要約】【課題】機能と美観に優れたランバーサポート装置を提供する。【解決手段】ランバーサポート装置５は、背支柱１１の凹所２８に嵌め込み装着されたハウジング２７を備えており、ハウジング２７にレール部材２５を内蔵している。レール部材２５はクリップ部材２６が昇降自在に装着されており、クリップ部材２６は、ホルダー部材２４とランバーパッド２２の間に保持されている。ランバーサポート装置５の全体がハウジング２７を介してユニット化されているため、寸法精度が高い。また、ハウジング２７は背支柱１１の凹所に内蔵されているため、露出を抑制して美観を向上できる。【選択図】図９
2020058769.tif 000002
【特許請求の範囲】
【請求項１】
座と背もたれ、及び、前記背もたれが取り付くバックフレームとを有していて、前記バックフレームは、左右中間部に位置した背支柱を有しており、前記背支柱に、前記背もたれを後ろから支えるランバーサポート装置が取付けられている構成であって、
前記ランバーサポート装置は、高さ調節用係合部を多段に設けた上下長手のレール部材と、前記レール部材に高さ調節可能に取付けられたランバーパッドとを有しており、前記レール部材は、前記背支柱の前面に形成された凹所に格納されたハウジングの内部に配置されている、
椅子。
【請求項２】
前記レール部材には、前記ランバーパッドが固定されたスライダーが昇降自在に装着されており、前記スライダーは、前記ハウジングに上下スライド可能に装着されている、
請求項１に記載した椅子。
【請求項３】
前記レール部材の下端と前記ハウジングの下端部とに、前記レール部材をずれ不能に保持する第１係合部を設けて、前記ハウジングの下端部と前記背支柱に設けた凹所の下端部とには、前記ハウジングの下端部をずれ不能に保持する第２係合部を設けている一方、
前記レール部材の上端部とハウジングの上端部とは、１本のビスによって前記背支柱に共締めされている、
請求項１又は２に記載した椅子。
【請求項４】
前記スライダーとハウジングとに、前記ランバーパッドに着座者の押圧力が作用していない状態では互いに離反してスライダーの上下動を許容し、前記ランバーパッドに着座者の押圧力が作用すると噛み合ってスライダーを上下動不能に保持するロック手段を設けている、
請求項２又は３に記載した椅子。
【請求項５】
座と背もたれ、及び、前記背もたれが取り付くバックフレームとを有していて、前記バックフレームは、左右中間部に位置した背支柱を有しており、前記背支柱に、前記背もたれを後ろから支えるランバーサポート装置が取付けられている構成であって、
前記ランバーサポート装置は、前記背支柱に固定される上下長手でケース状のハウジングを備えており、前記ハウジングにランバーパッドが直接に又はレール部材を介して取付けられている、
椅子。
【発明の詳細な説明】
【技術分野】
【０００１】
本願発明は、ランバーサポート装置を備えた椅子に関するものである。
【背景技術】
【０００２】
背もたれを備えた椅子において、着座した人の腰部を後ろから支えるランバーサポート装置を設けることは、広く行われている。ランバーサポート装置をどのような構造に構成するかは、背部の構造によって大きく相違している。
【０００３】
例えば特許文献１には、左右中間部に配置された背支柱を有するバックフレームに背もたれを取付けている構成において、ランバーパッドを背支柱に高さ調節可能に取り付けることが開示されている。特許文献１は、背支柱がランバーパッドの支持部材になっているため、ランバーパッドをしっかりと支えることができる利点を有する。
【先行技術文献】
【特許文献】
【０００４】
【特許文献１】特開２００５−１５２０８７号公報
【発明の概要】
【発明が解決しようとする課題】
【０００５】
さて、背支柱を備えたバックフレームに背もたれを取り付ける場合、背支柱の形態はデザインなどの観点から様々の形態が採用されており、また、材質も樹脂製やアルミダイキャスト製など、様々な素材が使用されている。
【０００６】
そして、特許文献１は上記のような利点を有するが、特許文献１では背支柱は金属製のパイプ材又は棒材を使用しているため、背支柱が樹脂製やアルミダイキャスト製である場合は、そのまま適用できるとは言い難い。
【０００７】
本願発明はこのような現状を背景として成されたものであり、樹脂製やアルミダイキャスト製の背支柱についても容易に適用できて機能と美観とに優れたランバーサポート装置を提供せんとするものである。
【課題を解決するための手段】
【０００８】
本願発明は、
「座と背もたれ、及び、前記背もたれが取り付くバックフレームとを有していて、前記バックフレームは、左右中間部に位置した背支柱を有しており、前記背支柱に、前記背もたれを後ろから支えるランバーサポート装置が取付けられている」
という基本構成であり、請求項１の発明は、この基本構成において、
「前記ランバーサポート装置は、高さ調節用係合部を多段に設けた上下長手のレール部材と、前記レール部材に高さ調節可能に取付けられたランバーパッドとを有しており、前記レール部材は、前記背支柱の前面に形成された凹所に格納されたハウジングの内部に配置されている」
という構成になっている。
【０００９】
請求項２の発明は、請求項１において、
「前記レール部材には、前記ランバーパッドが固定されたスライダーが昇降自在に装着されており、前記スライダーは、前記ハウジングに上下スライド可能に装着されている」
という構成になっている。
【００１０】
請求項３の発明は、請求項１又は２において、
「前記レール部材の下端と前記ハウジングの下端部とに、前記レール部材をずれ不能に保持する第１係合部を設けて、前記ハウジングの下端部と前記背支柱に設けた凹所の下端部とには、前記ハウジングの下端部をずれ不能に保持する第２係合部を設けている一方、
前記レール部材の上端部とハウジングの上端部とは、１本のビスによって前記背支柱に共締めされている」
という構成になっている。
【００１１】
また、請求項４の発明は、請求項２又は３において、
「前記スライダーとハウジングとに、前記ランバーパッドに着座者の押圧力が作用していない状態では互いに離反してスライダーの上下動を許容し、前記ランバーパッドに着座者の押圧力が作用すると噛み合ってスライダーを上下動不能に保持するロック手段を設けている」
という構成になっている。
【００１２】
請求項５の発明は、請求項１と同じ基本構成において、
「前記ランバーサポート装置は、前記背支柱に固定される上下長手でケース状のハウジングを備えており、前記ハウジングにランバーパッドが直接に又はレール部材を介して取付けられている」
という構成になっている。
【発明の効果】
【００１３】
請求項１の発明では、ハウジングを部分的に又は全体的に背支柱の凹所に格納できるため、ランバーサポート装置の露出を抑制して美観を向上できる。また、凹所が存在しない場合に比べて、背支柱と背もたれとの間の間隔を狭めることができるため、椅子全体としても大型化を抑制できると云える。
【００１４】
また、ハウジングを使用してランバーサポート装置をユニット化できるため、背支柱へのランバーサポート装置の組み付けを簡単に行うことができる利点もある。更に、レール部材はハウジング内に隠れているため、レール部材やこれに取り付いた可動部材に物が当たることを防止又は抑制して動きの確実性を向上できる利点や、人が手で触れたときに指を挟む問題も無くすことができる利点がある。
【００１５】
請求項２の構成を採用すると、スライダーは、レール部材よりも広幅のハウジングによって昇降がガイドされるため、ランバーパッドの昇降のスムース性を向上できる。
【００１６】
請求項３の発明を採用すると、レール部材の下端部とハウジングの下端部とは、嵌め込み等によって第１係合部によってずれ不能に保持されて、ハウジングの下端部は、第２係合部により、凹所の係合部に対して嵌め込み等によってずれ不能に実施形態されるため、レール部材とハウジングとは、その上部を１本きビスで共締めするだけで、支柱に対して固定されている。従って、ランバーサポート装置の取付けを簡単に行うことができる。
【００１７】
さて、ランバーパッドを係止部材の弾性に抗して高さ調節できるランバーサポート装置では、着座した人の体圧が掛かると、ランバーパッドがずれ移動することがある。さりとて、レバーでロックを解除する方式を採用すると、構造が複雑化してコストが嵩むという不具合がある。これに対して、請求項４の構成を採用すると、着座者の押圧力がランバーパッドに作用するとランバーパッドは上下動不能に保持されるため、簡単な構造でありながら、ランバーパッドが意図せずにずれ動いてしまうことを防止できる。
【００１８】
また、請求項５の発明では、上記のとおりランバーサポート装置をユニット化できるため、背支柱の寸法精度などとは関係なく、ランバーサポート装置を高い精度に製造できる。従って、特にランバーパッドが高さ調節できる場合、ランバーパッドの昇降を軽快に行えるなど、高い品質を確保できる。
【図面の簡単な説明】
【００１９】
【図１】第１実施形態の椅子を示す図で、（Ａ）は前方斜視図、（Ｂ）は後方斜視図、（Ｃ）は背部のみの後方斜視図である。
【図２】（Ａ）は骨組みを示す斜視図、（Ｂ）は後方斜視図、（Ｃ）は分離斜視図である。
【図３】ランバーサポート装置を示す図で、（Ａ）は前方から見た分離斜視図、（Ｂ）は後方から見た分離斜視図、（Ｃ）は（Ｂ）のＣ−Ｃ視方向から見た背面図である。
【図４】（Ａ）は部分的な分離斜視図、（Ｂ）は一部の部材をランバーパッドに装着した状態での分離斜視図である。
【図５】（Ａ）はハウジングの部分的な拡大正面図、（Ｂ）はランバーパッドを省略した状態での正面図、（Ｃ）はランバーパッドを省略した状態での分離正面図である。
【図６】（Ａ）はランバーサポート装置の下方斜視図、（Ｂ）は部分的な分離斜視図、（Ｃ）は縦断側面図である。
【図７】第２実施形態の椅子を示す図で、（Ａ）は前方斜視図、（Ｂ）は側面図、（Ｃ）は平面図である。
【図８】（Ａ）は正面図、（Ｂ）は背面図である。
【図９】第２実施形態のランバーサポート装置を示す図で、（Ａ）は前方から見た分離斜視図、（Ｂ）は後方から見た分離斜視図、（Ｃ）は（Ｂ）のＣ−Ｃ視方向から見た背面図である。
【図１０】（Ａ）は分離斜視図、（Ｂ）は一部部材を分離した斜視図、（Ｃ）は縦断側面図である。
【発明を実施するための形態】
【００２０】
次に、本願発明の実施形態を図面に基づいて説明する。以下では、方向を特定するため前後・左右の文言を使用するが、これの方向は、普通に着座した人から見た状態として特定している。正面視方向は、着座者と対向した方向である。
【００２１】
(1).椅子の概要
本実施形態の椅子は、オフィス等で多用されている回転椅子に適用している。図１，２に示すように、椅子は、主要部材として、座１と背もたれ２、背もたれ２が取り付けられたバックフレーム３、及びキャスタ付き脚装置４を備えている。背もたれ２の後ろにはランバーサポート装置５を配置している。また、椅子には、オプション品として肘掛け装置６とヘッドレスト（或いはショルダーレスト）７とを備えている。
【００２２】
例えば図１のとおり、中央部に配置した脚支柱（ガスシリンダ）８にベース体９を固定し、ベース体９に、バックフレーム３がジョイント部材１０を介して後傾動自在に連結されている。従って、本実施形態の椅子は、背もたれ２が弾性手段に抗して後傾動するロッキングタイプである。
【００２３】
バックフレーム３は、左右中間部に位置した上下長手の背支柱１１と、その上端に水平旋回可能に取付けた左右長手のアッパサポート１２と、背支柱１１の下端に一体に設けた左右のロアサポート１３とを有しており、アッパサポート１２の左右両端とロアサポート１３の先端とは自由端になっており、背もたれ２のコーナー部が、アッパサポート１２の先端部とロアサポート１３の先端部とに連結されている。従って、背もたれ２は、バックフレーム３に対して４点支持の状態で取付けられている。
【００２４】
着座した人の押圧力が背もたれ２の右側部又は左側部に偏って作用すると、アッパサポート１２が水平旋回して、背もたれ２を捩じれ変形させることができる。従って、使用者の身体の動きに追従して、背もたれ２が捩じれ変形する。背支柱１１及びアッパサポート１２は、合成樹脂製であり、背支柱１１も、着座した人の押圧力によって捩じれ変形させることが可能である。なお、背支柱１１とロアサポート１３とは、後ろからカバーで覆われている。
【００２５】
図１（Ｃ）のとおり、アッパサポート１２は手前に向けて凹むように（後ろに向けて膨らむように）、平面視で弓なりに反った形態になっており、その左右両端部に、背もたれ２の左右両端部が連結されている。従って、アッパサポート１２と背もたれ２との間には大きな空間が空いている。この空間の存在により、背もたれ２の上端部が着座者の押圧力（体圧）によって後ろ向きに伸び変形することが許容されている。
【００２６】
他方、例えば図４に明示するように、ロアサポート１３は、背面視において上面と下面とが先端に向けて高くなるように湾曲しており、かつ、左右ロアサポート１３の下面と背支柱１１の下面とで形成される下面（すなわち，バックフレーム３の下面）も、下向きに膨れた湾曲面になっている。従って、バックフレーム３は、全体として錨に似た形態になっている。
【００２７】
図１（Ｃ）及び図６（Ｃ）に示すように、背もたれ２は、合成樹脂製の背板（背インナーシェル）２ａの表裏にクッション材１４を張って、表裏の全体を袋状の表皮材で覆った構造になっている。
【００２８】
(2).ランバーサポート装置
次に、主として図３〜６を参照してランバーサポート装置５を説明する。図３に示すように、ランバーサポート装置５は、背もたれ２を後ろから支えるランバーパッド２２と、ランバーパッド２２の後面に左右のビス２３で固定されたホルダー部材２４と、ランバーパッド２２とホルダー部材２４との間に配置されたレール部材２５及びクリップ部材２６と、前向きに開口したケース状で内部にホルダー部材２４及びレール部材２５が収納されたハウジング２７とを備えている。これらは、合成樹脂の成型品である。
【００２９】
ホルダー部材２４とクリップ部材２６とは、一体に固定されていてレール部材２５を前後から抱持しており、かつ、レール部材２５に対して昇降自在に装着されている。従って、ホルダー部材２４とクリップ部材２６とによって、請求項に記載したスライダーが構成されている。
【００３０】
図３に示すように、背支柱１１の前面には、ハウジング２７がすっぽり嵌まる凹所２８が形成されている。ハウジング２７の下面には下向き突起２９が形成されている一方、背支柱１１の凹所２８の下面に、下向き突起２９が嵌合する係合穴３０を形成している。また、ハウジング２７の上端部後面に、手前に向けて凹んだ係合凹部３１を形成している一方、背支柱１１の凹所２８には、係合凹部３１が重なる係合段部３２を形成している。なお、凹所２８の底面は、山と谷が上下に交互に連なった凹凸形状になっているが、平坦面であってもよい。
【００３１】
レール部材２５は上下に長い帯板状の形状であり、図３（Ａ）（Ｂ）のとおり、レール部材２５の下端に、左右の羽根板３３を有する平面視略Ｔ形の係止突起３４を後ろ向きに突設している一方、図３（Ａ）に示すように、ハウジング２７の底部に、係止突起３４が嵌合する略Ｔ形の係合溝３５を形成している。従って、レール部材２５の下端は、ハウジング２７の下端部に対して、前後左右のいずれの方向にもずれ不能に保持されている。
【００３２】
図３のとおり、レール部材２５の上端部には、後傾姿勢のヘッド部３６が形成されている一方、ハウジング２７の上端部には、ヘッド部３６が左右ずれ不能に嵌合する溝部３７が形成されており、ヘッド部３６とハウジング２７とが、１本のビス３８によって、背支柱１１における係合凹部３１の係合段部３２に共締めされている。従って、レール部材２５とハウジング２７とは、１本のビス３８によって、背支柱１１にガタ付きのない状態に固定されている。
【００３３】
本実施形態では、レール部材２５に設けた係止突起３４とハウジング２７に設けた係合溝３５とは、請求項に記載した第１係合部の例であり、ハウジング２７に設けた下向き突起２９と凹所２８に設けた係合穴３０とは、請求項に記載した第２係合部の例である。いずれにおいても、上下方向からの嵌脱するため、ビス３８で上部を共締めすると、レール部材２５もハウジング２７も上下左右のいずれの方向にもずれ不能に保持される。第１係合部及び第２係合部は、他の様々な嵌合態様を採用できる。
【００３４】
レール部材２５の背面には、高さ調節手段の一環として、多数の係合突起３９が上下方向に並べて形成されている。他方、クリップ部材２６は、レール部材２５を前後から抱持する形態であり、レール部材２５の後ろに位置した部位は、係合突起３９に係脱する左右の係止爪４０になっている。
【００３５】
正確に述べると、クリップ部材２６はレール部材２５の手前に位置する基板と、その左右両側から後ろ向きに突出した左右の側板と、左右の側板に一体に設けた左右の係止爪４０とを有しており、基板と係止爪４０とでレール部材２５を挟んでいる。更に詳細に述べると、図３（Ａ）及び図５（Ｂ）（Ｃ）に示すように、レール部材２５の左右側縁に薄肉化したリブ２５ａが上下に長く形成されている一方、クリップ部材２６の側板には、リブがスライド自在に嵌まる蟻溝が形成されている。
【００３６】
係止爪４０は、下端（先端）を自由端と成しており、下端の爪部が隣り合った係合突起３９の間に入り込むことにより、ランバーパッド２２の高さが保持される。ランバーパッド２２に対して上下方向の外力を加えると、係止爪４０は弾性変形して係合突起３９を乗り越える。これにより、ランバーパッド２２の高さを段階的に調節できる。
【００３７】
ホルダー部材２４は、ランバーパッド２２の後面に形成した囲い枠４１の内部に配置されている。囲い枠４１の左右内側面には内向きリブ４２の群を形成している一方、クリップ部材２７の左右外面には、内向きリブ４２と嵌合して上下動ずれ不能に保持する外向きリブ４３を形成している。従って、クリップ部材２７は、ホルダー部材２４により、上下左右及び前後のいずれの方向にずれないように押さえ保持されている。
【００３８】
例えば図３（Ｂ）に示すように、ホルダー部材２４の前面部でかつ左右側部にはフランジ４４を設けている一方、図３（Ａ）や図５（Ｂ）（Ｃ）に示すように、ハウジング２７の左右側部には、ホルダー部材２４のフランジ４４が上下スライド自在に嵌まり込む段部４５を形成している。
【００３９】
また、図３（Ｂ）や図４（Ｂ）に示すように、ホルダー部材２４の後面の左右中間位置に上下長手のガイドリブ４６を一体に設け、ガイドリブ４６の上下両端に、左右の係合リブ４７を形成している一方、図３（Ａ）及び図５（Ａ）に示すように、ハウジング２７の底面に、ガイドリブ４６及び係合リブ４７と協働してランバーパッド２２の高さを保持するロック部４８を形成している。
【００４０】
図５（Ａ）に明瞭に示すように、ロック部４８は、ガイドリブ４６が上下スライド自在に嵌まるセンター溝４９と、係合リブ４７が嵌まり得るロック溝５０の群とを形成している。ロック溝５０は、上下に並んだロック突起５１によって形成されており、ロック突起５１は、センター溝４９を形成する左右の縦長リブ５２に一体に形成している。ロック突起５１は、レール部材２５の後面に形成された係合突起３９と同じ高さ・ピッチで形成されている。
【００４１】
そして、ランバーパッド２２に後ろ向きの外力が作用していない状態では、係合リブ４７はロック溝５０から手前に外れていて、ランバーパッド２２を昇降させることができる。他方、着座した人の押圧力がランバーパッド２２に作用すると、レール部材２５が後ろに押し曲げられることにより、ホルダー部材２４の係合リブ４７がロック溝５０に嵌まり込む。これにより、ランバーパッド２２は上下動不能にロックされる。
【００４２】
さて、着座した人が背もたれ２にもたれ掛かった状態で、着座した人の背と背もたれ２との間に上下方向の滑りが発生することがあり、このため、ランバーパッド２２が意図せずに上昇又は下降してしまうことが有り得る。しかし、本実施形態では、着座した人が背もたれ２にもたれ掛かると、ホルダー部材２４の係合リブ４７がハウジング２７のロック溝５０に嵌入することにより、ランバーパッド２２は上下動不能に保持される。
【００４３】
従って、係合リブ４７とロック部４８とにより、請求項に記載したロック手段が構成されているが、着座した人の押圧力が作用すると、レール部材２５を弾性変形させて係合リブ４７とロック部４８に係合するため、厳密には、レール部材２５はばね手段の役割を果たして、ロック手段の一環を成していると云える。フリー状態を確保するために、ホルダー部材２４を手前に押すばねを設けることも可能である。
【００４４】
(3).まとめ
本実施形態のランバーサポート装置５は、ハウジング２７をベース材として、これに全体が組み付けられている。すなわち、ハウジング２７を介して全体が１つのユニットになっている。このため、組み付けが容易であると共に、高い寸法精度を確保することができる。
【００４５】
また、レール部材２５はハウジング２７に内蔵されて、ハウジング２７はその大部分が背支柱１１の凹所７８に内蔵されているため、ランバーサポート装置５の基部の多くの部分が背支柱１１の肉厚部位内に隠れている。このため、美観を向上できる。また、背支柱１１と背もたれ２との間隔を狭めて、椅子の大型化を抑制することも可能である。
【００４６】
更に、ランバーパッド２２の上下スライド手段として、レール部材２５によるクリップ部材２６の上下スライドのみを採用しただけであると、レール部材２５は横幅が小さいため、こじれが生じてランバーパッド２２をスムースに昇降させにくい場合が有り得るが、本実施形態では、レール部材２５よりも遥かに広幅のハウジング２７に対してホルダー部材２４が上下スライド自在に保持されているため、こじれを防止又は著しく抑制して、ランバーパッド２２をスムースに昇降させることができる。
【００４７】
実施形態では、レール部材２５の下端部はハウジング２７に嵌合して、ハウジング２７の下端部は背支柱１１に嵌合しているため、ランバーサポート装置を１本だけのビス３８によって背支柱１１に固定できる。このため、ランバーサポート装置５の取付けを、能率よく行うことができる。また、ランバーサポート装置５には後ろ向きに外力が作用するが、この外力は背支柱１１で支持されるため、１本のビス３８による締結であっても、ランバーサポート装置５の取付け強度に全く不安はない。
【００４８】
既述のとおり、着座した人が背もたれ２にもたれ掛かった状態でランバーパッド２２を上下動不能に保持するロック手段を設けると、ランバーパッド２２の移動（特にずり下がり）を防止して、快適性を向上できる。
【００４９】
(4).第２実施形態
図７〜１０では、メッシュタイプに適用した第２実施形態を示している。すなわち、背もたれ２は、前後に開口した背フレーム５３にメッシュ材５４を張った構造になっており、第１実施形態と同様に、ランバーサポート装置５と肘掛け装置６とヘッドレスト７とを備えている。
【００５０】
第２実施形態のランバーサポート装置５は，図９，１０で表示している。これらの図から理解できるように、第２実施形態のランバーサポート装置５の構造は、基本的には第１実施形態と同じであるが、ランバーパッド２２の支持構造が第１実施形態と相違している。
【００５１】
すなわち、第１実施形態では、ホルダー部材２４をランバーパッド２２の背面に直接固定していたが、この第２実施形態では、ランバーパッド２２の背面に、平面視弓形のスペーサフレーム５５を装着して、スペーサフレーム５５にホルダー部材２４を固定している。従って、レール部材２５とクリップ部材２６とは、ホルダー部材２４とスペーサフレーム５５との間に配置されている。また、スペーサフレーム５５には、クリップ部材２６をずれ不能に保持する囲い枠４１が形成されている。
【００５２】
図１０（Ａ）から理解できるように、スペーサフレーム５５の左右先端部は細くなった連結部５６になっている一方、ランバーパッド２２の左右両端部には、連結部５６が入り込むボス部５７が形成されている。そして、連結部５６の先端に外向きの係合片５８を形成している一方、ランバーパッド２２におけるボス部５７の奥部に、係合片５８が嵌入する係合溝５９を、内向きに開口するように形成している。
【００５３】
係合溝５９への係合片５８の嵌め込みは、スペーサフレーム５５を窄めるように変形させることよって、容易に実現できる。そして、着座者した人による押圧力は、スペーサフレーム５５の左右間隔を広げるように作用するため、外力によってランバーパッド２２がスペーサフレーム５５から外れることはない。
【００５４】
スペーサフレーム５５の左右連結部５６は、ランバーパッド２２の下面部と重なる補強フレーム６０によって連結されている。ボス部５７は上端部に位置しているため、ランバーパッド２２には、着座者の押圧力によって下端を後ろに押すようなモーメントが掛かることがあるが、補強フレーム６０を設けると、ランバーパッド２２を変形させることなく、使用者の身体をしっかりと支えることができる。
【００５５】
以上、本願発明の実施形態を説明したが、本願の各発明は、他にも様々に具体化できる。例えば、ランバーパッドやハウジングなどの構成部材は、デザイン性などの要請に応じて適宜変更できる。ランバーパッドを高さ調節方式である場合、レバー装置によってフリー状態とロック状態とに切替えられロック装置を設けることも可能である。
【産業上の利用可能性】
【００５６】
本願発明は、ランバーサポート装置を備えた椅子に具体化できる。従って、産業上利用できる。
【符号の説明】
【００５７】
２  背もたれ
３  バックフレーム
５  ランバーサポート装置
１１  背支柱
２２  ランバーパッド
２４  スライダーを構成するホルダー部材
２５  レール部材
２６  スライダーを構成するクリップ部材
２７  ハウジング
２８  凹所
２９  第２係合部を構成する下向き突起
３０  第２係合部を構成する係合穴
３４  第１係合部を構成する係止突起
３５  第１係合部を構成する係合溝
３９  係合突起
４０  係止爪
４７  ロック手段を構成する係合リブ
４８  ロック手段を構成するロック部
【図１】
2020058769.tif 000003
【図２】
2020058769.tif 000004
【図３】
2020058769.tif 000005
【図４】
2020058769.tif 000006
【図５】
2020058769.tif 000007
【図６】
2020058769.tif 000008
【図７】
2020058769.tif 000009
【図８】
2020058769.tif 000010
【図９】
2020058769.tif 000011
【図１０】
2020058769.tif 000012